(57)【特許請求の範囲】
【請求項１】
缶の上部の蓋部分を形成するシーマの囲いに適用され、開閉可能又は、閉状態にて内部から外部への飛散物の飛散を防止可能にする回転開閉式の扉が取り付けられている囲い構造において、
前記扉には、前記扉を開閉可能にするための取っ手を含む開閉機構が外側だけに設けられており、かつ、外部と内部とをつなぐ窓が設けられ、
前記窓には、内部からの飛散を防止しつつ内部を視認可能な視認部材が固定部材を通じて取り付けられ、
前記固定部材は、前記視認部材を取り外し可能に固定するとともに、液体が使用された場合に前記液体を排出するように構成されている、囲い構造。
【請求項２】
前記扉には、当該扉の施錠状態及び非施錠状態を切り替える錠が外側だけに設けられている請求項１に記載の囲い構造。
【発明の詳細な説明】
【技術分野】
【０００１】
本発明は、缶の上部に蓋部分を形成するシーマの囲いに適用される囲い構造に関する。
【背景技術】
【０００２】
内部を無菌状態にするための無菌室が知られている（例えば、特許文献１参照）。その他、本発明に関連する先行技術文献として特許文献２が存在する。
【先行技術文献】
【特許文献】
【０００３】
【特許文献１】特許第３９５５０９８号公報
【特許文献２】特開平１１−１８０４１６号公報
【発明の概要】
【発明が解決しようとする課題】
【０００４】
上述の特許文献１の無菌室には、人が出入りするための扉が取り付けられている。このような扉には、内部を密閉空間にするためのゴムパッキンや扉を開閉可能にするための開閉機構等、各種付属部品が設けられている。しかし、これらの各種付属部品は、扉の表面に凹凸を形成するため、清掃の際に洗浄の妨げになってしまう。また、このような凹凸は、洗い残しとなり易く、かつ、微生物の巣となりやすい。特許文献１の無菌室の扉の場合、開閉のための取っ手等が扉の内側に設けられている。このため、清掃の際には取っ手等が洗浄の妨げとなってしまう。また、洗い残しが発生しやすい。
【０００５】
そこで、本発明は、シーマの囲いに用いられる囲い構造であって、内部を容易に洗浄することができるとともに、洗い残しを抑制することができる囲い構造を提供することを目的とする。
【課題を解決するための手段】
【０００６】
本発明の囲い構造は、缶の上部の蓋部分を形成するシーマの囲いに適用され、開閉可能又は、閉状態にて内部から外部への飛散物の飛散を防止可能にする回転開閉式の扉（３）が取り付けられている囲い構造（１）において、前記扉には、前記扉を開閉可能にするための取っ手（１７）を含む開閉機構が外側だけに設けられており、かつ、外部と内部とをつなぐ窓（１４）が設けられ、前記窓には、内部からの飛散を防止しつつ内部を視認可能な視認部材（２６）が固定部材（２７）を通じて取り付けられ、前記固定部材は、前記視認部材を取り外し可能に固定するとともに、液体が使用された場合に前記液体を排出するように構成されている、ものである。
【０００７】
本発明によれば、開閉機構が外側だけに設けられているので、扉の内側の洗浄の際に開閉機構が妨げになることがない。このため、シーマの囲いの内部を容易に洗浄することができるとともに、洗い残しを抑制することができる。特に、シーマの囲いには、シーマからの飛散物が付着することが多いので、洗浄の機会が多くなる傾向にある。また、洗い残しは微生物の発生につながりやすいので、洗浄には手間がかかる傾向にある。このため、内部の洗浄を容易にし、かつ、洗い残しを抑制することで、清掃の手間を大きく軽減することができる。
【０００８】
扉には、洗浄の妨げとなり、微生物の巣となり易いさまざまな各種付属部品が設けられている。例えば、本発明の囲い構造の一態様において、前記扉には、当該扉の施錠状態及び非施錠状態を切り替える錠（１５）が外側だけに設けられていてもよい。
【０００９】
なお、以上の説明では本発明の理解を容易にするために添付図面の参照符号を括弧書きにて付記したが、それにより本発明が図示の形態に限定されるものではない。
【発明の効果】
【００１０】
以上、説明したように、本発明によれば、シーマの囲いに用いられる囲い構造であって、内部を容易に洗浄することができるとともに、洗い残しを抑制することができる囲い構造を提供することができる。
【図面の簡単な説明】
【００１１】
【図１】本発明の一形態に係る囲い構造の斜視図。
【図２】本発明の一形態に係る囲い構造を上から見た図。
【図３】大扉と小扉の外側の拡大図。
【図４】大扉の内側の拡大斜視図。
【図５】取っ手部が大扉から取り外された状態を示す図。
【図６】シーマの囲いに適用される従来の囲い構造の扉部の内側を示す図。
【発明を実施するための形態】
【００１２】
図１は、本発明の一形態に係る囲い構造の斜視図である。囲い構造１は、シーマ（不図示）の囲いに適用されている。その囲い構造１は、缶（不図示）にビールを充填するフィラー室内（不図示）に配置されている。フィラー室内は正圧である。また、囲い構造１内に配置されたシーマは、缶にＣＯ２を吹き入れながら蓋をする装置である。囲い構造１には、大扉３と、小扉５とが設けられている。大扉３は、図１の左側が、小扉５は、図１の右側が、それぞれ不図示の蝶番により固定されている回転開閉式の扉である。図２は、本発明の一形態に係る囲い構造１を上から見た図である。図２に示すように、囲い構造１は、シーマを囲む４面１Ａ、１Ｂ、１Ｃ、１Ｄが全て同じ大きさに形成されている。４面１Ａ、１Ｂ、１Ｃ、１Ｄのうち正面１Ａ及び一方の側面１Ｃには、それぞれに大扉３と、小扉５とが設けられている。また、他方の側面１Ｂには、大扉３のみが設けられ、背面１Ｄには、中央付近に大扉３よりやや小さい中扉６が設けられている。シーマには、中身の充填された缶をシーマに搬送するためのキャンフィード７と、シーマにて蓋がされた缶を囲い構造１の外に搬送するための排缶コンベア８とが接続されている。このため、背面１Ｄにはキャンフィード７が通過するための孔として通過部９Ｄが、側面１Ｂには排缶コンベア８が通過する孔として通過部９Ｂが、それぞれ設けられている。なお、図２では、囲い構造１の上面に隠れる各扉３、５、６及び各通過部９Ｄ、９Ｂを破線で示している。
【００１３】
小扉５の外側５ａには、左側、つまり、大扉３との境界付近に２つの錠１１が設けられている。２つの錠１１は、小扉５の上方と下方とを施錠するように、それぞれ大扉３との境界付近の上方と下方とに配置されている。図３は、大扉３と小扉５の外側の拡大図である。図３に示すように、各錠１１は、ラッチ錠として構成され、各錠１１から延びる各アーム１３が上下に操作されることにより、施錠状態と非施錠状態とが切り替えられる。また、２つの錠１１の間、大扉３との境界付近のほぼ中央には取っ手１２が設けられている。
【００１４】
図１及び図３に示すように、大扉３には、窓部１４が設けられている。また、大扉３の外側３ａには、２つの錠１５と、取っ手部１７とが設けられている。２つの錠１５は、大扉３の右側、つまり、小扉５との境界付近に取り付けられ、上方と下方とを施錠するように、それぞれ小扉５との境界付近の上方と下方とに配置されている。図３に示すように、各錠１５は、ラッチ錠として構成され、各錠１５から取っ手部１７方向に延びる各アーム２０が上下に操作されることにより、施錠状態と非施錠状態とが切り替えられる。各アーム２０は、それぞれロッド２１により取っ手部１７と接続されている。
【００１５】
取っ手部１７は、２つの錠１５の間に設けられている。即ち、取っ手部１７は、大扉３の右側、つまり、小扉５との境界付近であって、上下方向の中央付近に取り付けられている。取っ手部１７は、人に操作されるノブ２２と、ノブ２２と一体的に回転する回転部２３と、大扉３に固定されるベース部２４と、を備えている。これらにより、取っ手部１７は、ノブ２２が水平方向に延びるように位置する状態から下方に延びるように位置する状態まで、大扉３に平行な面上を回転可能なように構成されている。回転部２３には各ロッド２１が接続されている。回転部２３は、ノブ２２と一体的に回転する。このため、取っ手部１７は、ノブ２２が水平方向に延びるように位置する状態では各ロッド２１を引くように移動させて各錠１５を非施錠状態にする一方で、ノブ２２が下方に延びるように位置する状態では各ロッド２１を押すように移動させて各錠１５を施錠状態にするように構成されている。つまり、ノブ２２が操作されることにより、大扉３の開閉操作が可能になるとともに、各錠１５の施錠状態と非施錠状態との間の切り替えが行われる。これにより、大扉３は、各錠１５が非施錠状態の場合には、大扉３を押す、又は引く操作によって容易に開閉が可能なように構成されている。取っ手部１７と各錠１５とが連携することにより取っ手部１７と各錠１５との組合わせが本発明の開閉機構として機能する。
【００１６】
図４は、大扉３の内側３ｂの拡大斜視図である。図４に示すように、大扉３の内側３ｂには、窓部１４を覆うようにＳＵＳ枠２５に嵌め込まれたポリカーボネート２６が固定部材２７により固定されている。このため、囲い構造１は、内部からの飛散物の飛散を防止しつつ窓１４を通して内部を視認可能に構成されている。固定部材２７は、段状に形成され、ポリカーボネート２６を挟むように固定する簡易な構造のものである。固定部材２７の両端は開放されているので、固定部材２７の内部に液だまりができない。また、固定部材２７は、取り外し可能に構成されている。このため、固定部材２７を取り外した状態で、大扉３の内側３ｂ及び固定部材２７を洗浄することができる。大扉３の内側３ｂには、外側３ａに取り付けられた取っ手部１７を固定するための補助部材２８が設けられている。補助部材２８は、取っ手部１７の一部が嵌め合わされるように形成された簡易な構造のものである。このため、補助部材２８は、図４に示すように、大扉３の内側３ｂからわずかしか突出していない。また、固定部材２７の突出もわずかである。
【００１７】
図５は、取っ手部１７が大扉３から取り外された状態を示す図である。図５に示すように、ベース部２４には、円形の平面部２４ａと、平面部２４ａから一方に長く延びる不図示の先端部と、平面部２４ａから他方に短く延びる後端部２４ｂと、が形成されている。平面部２４ａにはボルト等の不図示の固定部材が通る孔２４ｃが大扉３への取付用に設けられている。また、ベース部２４の先端部には軸線Ａｘを中心に回転可能に回転部２３が取り付けられている。回転部２３には、先端部を挟んだ対照的な位置に２つの羽根部２３ａが設けられ、２つの羽根部２３ａにはそれぞれロッド２１が接続される。また、回転部２３には、ノブ２２が固定されているため、回転部２３は、ノブ２２と一体的に回転する。これにより、取っ手部１７は、ノブ２２の回転操作に伴って、各ロッド２１を押したり、引いたりすることが可能なように構成されている。補助部材２８は、円形に形成され、中央にはベース部２４の後端部２４ｂが嵌め合わされる穴部２８ａが形成されている。補助部材２８は、大扉３を挟み後端部２４ｂが中央の穴部２８ａに嵌め合わされた状態で大扉３に固定される。補助部材２８には、ボルト等の固定部材が通る孔２８ｃが大扉３への取付用に設けられている。
【００１８】
一方、図６は、シーマの囲いに適用される従来の囲い構造の扉部４０の内側を示している。図６に示すように、扉部４０の内側には、外周にゴムパッキン４１が取り付けられている。ゴムパッキン４１は、扉部４０が閉じられた閉状態において、囲い構造の内部の密閉状態を保つためのものである。また、扉部４０には、窓部４３が設けられている。扉部４０の内側には、窓部４３を覆うようにポリカーボネート部４４が固定されている。ポリカーボネート部４４には、内部の密閉状態を保つためのゴムパッキン４５が外周に取り付けられている。さらに、扉部４０の内側には、扉部４０の施錠状態と非施錠状態とを切り替えるための錠が一体となった開閉機構４７が取り付けられている。
【００１９】
従来の囲い構造の扉部４０と本形態の囲い構造１の大扉３とを比較すると、図６に示すように、扉部４０の内側には、各ゴムパッキン４１、４５、開閉機構４７といった各種付属部品が取り付けられているのに対し、図４に示すように、大扉３の内側３ｂには、これらの各種付属部品が設けられていない。これらの各種付属部品４１、４５、４７が設けられている場合には、各種付属部品４１、４５、４７が扉部４０の内側に多数の凹凸を形成するため、洗浄が容易ではない。また、凹凸部分に洗い残しが発生しやすく、微生物の巣となる可能性が高い。
【００２０】
本形態によれば、大扉３は、内側３ｂに各ゴムパッキン４１、４５、開閉機構４７といった各種付属部品が取り付けられていないので、従来の囲い構造に用いられる扉部４０に比べて、内側３ｂがより平坦に形成されている。このため、内側３ｂをより容易に洗浄することができるとともに、洗い残しを抑制することができる。特に、シーマの囲いには、シーマからの泡等の飛散により雑菌等が繁殖し易いため、洗浄の機会を増やす必要があり、また、洗い残しが発生しないように丁寧に洗浄をする必要がある。このため、内側３ｂ等、内部の洗浄を容易にし、かつ、洗い残しを抑制することで、清掃の手間を大幅に軽減することができる。なお、シーマの囲いに適用する場合には、飛散物の飛散を防止可能な限りにおいて、囲い構造１の内部を完全な密閉状態とする必要はない。
【００２１】
本発明は上述の形態に限定されず、適宜の形態にて実施することができる。例えば、上述の形態では、取っ手部１７と各錠１５とが連携することにより開閉機構が構成されているが、このような構成に限定されるものではない。例えば、扉を開閉するための開閉機構と、施錠をするための錠とは、それぞれ別々に動作する別の付属部品として設けられていてもよい。また、例えば、各錠１１、１５はラッチ錠として構成される上述の形態に限定されるものではない。扉の外側に取り付けが可能で、内側への部品の露出が抑制される限りにおいて各種の錠が適用されてよい。また、同様に開閉機構も内側への部品の露出が抑制される限りにおいて各種のものが適用されてよい。
【００２２】
また、上述の形態では、大扉３の内側３ｂに取っ手部１７を固定する補助部材２８が設けられているが、内側３ｂに補助部材２８が設けられない構成を否定するものではない。つまり、取っ手部は、扉の内側に補助部材が設けられないような構成で取り付けられていてもよい。この場合、扉の内側には補助部材による凹凸が形成されない。また、上述の形態では、大扉３の内側３ｂにポリカーボネート２６が固定部材２７により固定されているが、このような構成に限定されるものではない。例えば、扉の内側には固定部材等により凹凸が形成されないように、外側から窓部を覆うようにガラスが取り付けられていてもよい。これらの場合には、扉の内側がより平坦に形成されるので、より容易に内部を洗浄することができる。
【符号の説明】
【００２３】
１  囲い構造
３  大扉
５  小扉
１１  錠
１５  錠（開閉機構、付属部品）
１７  取っ手部（開閉機構、付属部品）
４１  ゴムパッキン（付属部品）
４５  ゴムパッキン（付属部品）
４７  開閉機構（付属部品）
【図１】
0005543169.tif 000002
【図２】
0005543169.tif 000003
【図３】
0005543169.tif 000004
【図４】
0005543169.tif 000005
【図５】
0005543169.tif 000006
【図６】
0005543169.tif 000007